(57)【要約】【課題】重ねられる液晶パネルの位置合わせを容易に行うことができる液晶表示装置を提供することを目的とする。【解決手段】液晶表示装置は、第１下基板１４が第１上基板１２からずれて突出する第１突出部１６を有する第１液晶パネル１０と、第１突出部１６の第１突出表面１８に搭載された半導体チップ２０と、第２下基板３０が第２上基板２８からずれて突出する第２突出部３４を有する第２液晶パネル２６と、第２突出部３４の第２上基板２８の側を向く第２突出表面３６に設けられたアライメントマーク３８と、を有し、アライメントマーク３８は、半導体チップ２０の上面の外形に沿った形状を有し、第１液晶パネル１０及び第２液晶パネル２６が予め決められた相対的位置にあるときに、第２突出部３４を透過して第２突出表面３６に現れる半導体チップ２０の外形に沿って、アライメントマーク３８が位置する。【選択図】図１
2013088481.tif 000002
【特許請求の範囲】
【請求項１】
液晶を挟むための第１上基板及び第１下基板を有し、前記第１下基板は前記第１上基板からずれて突出する第１突出部を有する第１液晶パネルと、
前記第１突出部に搭載された半導体チップと、
液晶を挟むための第２上基板及び第２下基板を有し、前記第２下基板は前記第２上基板からずれて突出する第２突出部を有する第２液晶パネルと、
前記第２突出部に設けられたアライメントマークと、
を有し、
前記第１液晶パネル及び前記第２液晶パネルは、前記第１突出部及び前記第２突出部が重なるように配置され、
前記アライメントマークは、前記半導体チップの上面の外形に沿った形状を有し、
前記半導体チップの前記外形に沿って、前記アライメントマークが位置することを特徴とする液晶表示装置。
【請求項２】
請求項１に記載された液晶表示装置において、
前記半導体チップの前記外形は長方形であり、
前記アライメントマークは、前記長方形の角部に対応するＬ字の切り欠きを有するＬマークを含み、
前記Ｌマークは前記長方形の対角それぞれの外側に位置することを特徴とする液晶表示装置。
【請求項３】
請求項２に記載された液晶表示装置において、
前記アライメントマークは、前記長方形の長辺に対応する直線マークを含み、
前記直線マークは前記長方形の前記長辺の外側に位置することを特徴とする液晶表示装置。
【請求項４】
請求項２又は３に記載された液晶表示装置において、
前記第２液晶パネルの前記第２突出部に取り付けられたフレキシブル配線基板を有し、
前記アライメントマークは、前記フレキシブル配線基板との重複を避けて配置され、
前記半導体チップの一部と重なるように前記フレキシブル配線基板が配置され、前記フレキシブル配線基板との重複から外れた前記半導体チップの部位の外側に前記アライメントマークが位置することを特徴とする液晶表示装置。
【請求項５】
請求項１から４のいずれか１項に記載された液晶表示装置において、
前記第１液晶パネルは、液晶表示パネルであり、
前記第２液晶パネルは、前記液晶表示パネルに表示された左眼画像と右眼画像を分離して裸眼立体視を可能にするための視差バリア用液晶パネルであることを特徴とする液晶表示装置。
【請求項６】
請求項１から４のいずれか１項に記載された液晶表示装置において、
前記第１液晶パネルは、液晶表示パネルであり、
前記第２液晶パネルは、前記液晶表示パネルに表示された左眼画像と右眼画像を分離して裸眼立体視を可能にするためのレンチキュラーレンズ用液晶パネルであることを特徴とする液晶表示装置。
【発明の詳細な説明】
【技術分野】
【０００１】
本発明は、液晶表示装置に関する。
【背景技術】
【０００２】
近年、画像の立体表示の要求に応える製品が開発されており、携帯電話や携帯用情報端末等の中小型用機器としては、裸眼視するために視差バリア用液晶パネルを備えた液晶表示装置が知られている（特許文献１参照）。
【先行技術文献】
【特許文献】
【０００３】
【特許文献１】特開２００４−２９４８６２号公報
【発明の概要】
【発明が解決しようとする課題】
【０００４】
液晶表示パネルと視差バリア用液晶パネルの位置合わせは、それぞれに設けたアライメントマークによって行っていた。アライメントマークは、それぞれのガラス基板に形成されている。そのため、液晶表示パネルと視差バリア用液晶パネルを重ねたときに、両者間に介在する偏光板や接着層などによって、それぞれのアライメントの間隔が深さ方向に離れてしまう。カメラ等のデバイスでそれぞれのアライメントマークを見たときに焦点が合わず像がぼけてしまうことがあった。結果として、液晶表示パネルと視差バリア用液晶パネルとの位置合わせを高精度に行うことが困難だった。
【０００５】
本発明は、重ねられる液晶パネルの位置合わせを容易に行うことができる液晶表示装置を提供することを目的とする。
【課題を解決するための手段】
【０００６】
（１）本発明に係る液晶表示装置は、液晶を挟むための第１上基板及び第１下基板を有し、前記第１下基板は前記第１上基板からずれて突出する第１突出部を有する第１液晶パネルと、前記第１突出部に搭載された半導体チップと、液晶を挟むための第２上基板及び第２下基板を有し、前記第２下基板は前記第２上基板からずれて突出する第２突出部を有する第２液晶パネルと、前記第２突出部に設けられたアライメントマークと、を有し、前記第１液晶パネル及び前記第２液晶パネルは、前記第１突出部及び前記第２突出部が重なるように配置され、前記アライメントマークは、前記半導体チップの上面の外形に沿った形状を有し、前記半導体チップの前記外形に沿って、前記アライメントマークが位置することを特徴とする。本発明によれば、半導体チップの上面の外形とアライメントマークとを合わせて、第１液晶パネル及び第２液晶パネルの位置合わせを行う。半導体チップの上面は、第１突出部よりも高い位置にあるので、アライメントマークが設けられている第２突出部に近い。したがって、カメラ等のデバイスの焦点を合わせ易いので、重ねられる第１液晶パネル及び第２液晶パネルの位置合わせを容易に行うことができる。
【０００７】
（２）（１）に記載された液晶表示装置において、前記半導体チップの前記外形は長方形であり、前記アライメントマークは、前記長方形の角部に対応するＬ字の切り欠きを有するＬマークを含み、前記Ｌマークは前記長方形の対角それぞれの外側に位置することを特徴としてもよい。
【０００８】
（３）（２）に記載された液晶表示装置において、前記アライメントマークは、前記長方形の長辺に対応する直線マークを含み、前記直線マークは前記長方形の前記長辺の外側に位置することを特徴としてもよい。
【０００９】
（４）（２）又は（３）に記載された液晶表示装置において、前記第２液晶パネルの前記第２突出部に取り付けられたフレキシブル配線基板を有し、前記アライメントマークは、前記フレキシブル配線基板との重複を避けて配置され、前記半導体チップの一部と重なるように前記フレキシブル配線基板が配置され、前記フレキシブル配線基板との重複から外れた前記半導体チップの部位の外側に前記アライメントマークが位置することを特徴としてもよい。
【００１０】
（５）（１）から（４）のいずれか１項に記載された液晶表示装置において、前記第１液晶パネルは、液晶表示パネルであり、前記第２液晶パネルは、前記液晶表示パネルに表示された左眼画像と右眼画像を分離して裸眼立体視を可能にするための視差バリア用液晶パネルであることを特徴としてもよい。
【００１１】
（６）（１）から（４）のいずれか１項に記載された液晶表示装置において、前記第１液晶パネルは、液晶表示パネルであり、前記第２液晶パネルは、前記液晶表示パネルに表示された左眼画像と右眼画像を分離して裸眼立体視を可能にするためのレンチキュラーレンズ用液晶パネルであることを特徴としてもよい。
【図面の簡単な説明】
【００１２】
【図１】本発明の実施形態に係る表示装置の平面図である。
【図２】図１に示す液晶表示装置のII−II線断面図である。
【図３】実施形態の変形例１に係る液晶表示装置を示す平面図である。
【図４】実施形態の変形例２に係る液晶表示装置を示す平面図である。
【図５】実施形態の変形例３に係る液晶表示装置を示す平面図である。
【発明を実施するための形態】
【００１３】
以下、本発明の実施形態について、図面を参照して説明する。図１は、本発明の実施形態に係る液晶表示装置の平面図である。図２は、図１に示す液晶表示装置のII−II線断面図である。
【００１４】
液晶表示装置は、第１液晶パネル１０を有する。第１液晶パネル１０は、液晶表示パネルである。液晶表示パネルは、ＴＮ（Twisted Nematic）型、ＳＴＮ（Super Twisted Nematic）型、ＶＡ（Vertical Alignment）方式、ＩＰＳ（In-Plane Switching）方式など、構造や方式に限定されない。第１液晶パネル１０は、図示しない液晶を挟むための第１上基板１２及び第１下基板１４を有する。第１上基板１２及び第１下基板１４は、それぞれ、ガラスなどからなる透明の基板である。第１下基板１４はＴＦＴ（Thin Film Transistor）基板であり、第１上基板１２はカラーフィルタ基板である。第１下基板１４の下には図示しない偏光板を貼り付けてもよい。
【００１５】
第１下基板１４は、第１上基板１２からずれて突出する第１突出部１６を有する。第１突出部１６の第１上基板１２の側を向く第１突出表面１８に、半導体チップ２０が搭載されている。半導体チップ２０は、集積回路チップであり、液晶の駆動回路を内蔵している。
【００１６】
図１に示すように、半導体チップ２０の上面の外形は長方形である。半導体チップ２０の周囲には、第１下基板１４に形成された図示しない配線を覆って保護するために、樹脂２２（例えばシリコーン樹脂）が設けられている。この樹脂２２は、半導体チップ２０の側面には接触しているが、半導体チップ２０の上面よりも低く設けられている。また、樹脂２２と半導体チップ２０の上面とは異なる色であるため、視覚的に両者を区別できるようになっている。また、第１液晶パネル１０の第１突出表面１８に、第１フレキシブル配線基板２４が取り付けられている。第１フレキシブル配線基板２４は、第１液晶パネル１０を外部と電気的に接続するためのものであり、半導体チップ２０と電気的に接続されるようになっている。第１フレキシブル配線基板２４は、半導体チップ２０よりも、第１下基板１４の外端近くに取り付けられている。
【００１７】
本実施形態に係る液晶表示装置は、立体画像表示を可能にするものである。詳しくは、人の左右の目に異なる二次元画像を認識させ、その二つの二次元画像を基に、脳が三次元空間を構築する。そのため、第１液晶パネル１０には、左眼画像と右眼画像が表示される。
【００１８】
液晶表示装置は、第２液晶パネル２６を有する。第２液晶パネル２６は、視差バリア方式（パララックスバリア方式）によって、第１液晶パネル１０に表示された左眼画像と右眼画像を分離して裸眼立体視を可能にするための視差バリア用液晶パネルである。視差バリア方式（パララックスバリア方式）とは、画像の表示面に縦縞状のフィルタ（視差バリア）を重ねることで、左目には左目用の映像だけが、右目には右目用の映像だけが映るようにする方式である。
【００１９】
あるいは、第２液晶パネル２６は、レンチキュラー方式によって、第１液晶パネル１０に表示された左眼画像と右眼画像を分離して裸眼立体視を可能にするためのレンチキュラーレンズ用液晶パネルであってもよい。レンチキュラーレンズ用液晶パネルは、液晶によってレンチキュラーレンズを形成するパネルであり、例えば、ＷＯ２００７／０７２２８９号公報に開示されている。なお、液晶によってマイクロレンズを形成することは、特開平１０−２３９６７６号公報及び特開２００９−４８０７８号公報に開示されている。
【００２０】
第２液晶パネル２６も、ＴＮ（Twisted Nematic）型、ＳＴＮ（Super Twisted Nematic）型、ＶＡ（Vertical Alignment）方式、ＩＰＳ（In-Plane Switching）方式など、構造や方式に限定されない。第２液晶パネル２６は、図示しない液晶を挟むための第２上基板２８及び第２下基板３０を有する。
【００２１】
第２上基板２８及び第２下基板３０は、それぞれ、ガラスなどからなる透明の基板である。第２上基板２８及び第２下基板３０の一方はＴＦＴ（Thin Film Transistor）基板である。第２上基板２８の上には図示しない偏光板を貼り付けてもよい。なお、第１上基板１２と第２下基板３０の間には偏光板３２が配置されている。
【００２２】
第２下基板３０は、第２上基板２８からずれて突出する第２突出部３４を有する。第２突出部３４の第２上基板２８の側を向く第２突出表面３６には、アライメントマーク３８が設けられている。アライメントマーク３８は、第２上基板２８に形成する配線や絶縁膜と同時に形成してもよく、例えば、配線と同じ金属から形成してもよいし、印刷によってインクで形成してもよい。アライメントマーク３８は、半導体チップ２０の上面の外形に沿った形状を有する。図１に示す例では、アライメントマーク３８は、長方形の角部に対応するＬ字の切り欠きを有するＬマーク４０を含む。４つのＬマーク４０のＬ字が、半導体チップ２０の上面を内側に含む大きさの仮想上の長方形の角部を描いている。
【００２３】
第２液晶パネル２６の第２突出表面３６に第２フレキシブル配線基板４２が取り付けられている。アライメントマーク３８は、第２フレキシブル配線基板４２との重複を避けて配置されている。
【００２４】
第１液晶パネル１０及び第２液晶パネル２６は、重なるように配置され、例えば紫外線硬化性の樹脂からなる接着層４４によって両者が接着されている。詳しくは、第１下基板１４と第２下基板３０の間に第１上基板１２が位置しており、第１上基板１２（あるいは偏光板３２）と第２下基板３０の間に接着層４４が介在している。
【００２５】
第１突出部１６及び第２突出部３４が重なるように配置されている。第２下基板３０が光透過性基板であるため、第２突出部３４を透過して第２突出表面３６に半導体チップ２０の上面を視覚的に認識することができる。図１に示すように、第１液晶パネル１０及び第２液晶パネル２６が予め決められた相対的位置（完成品として正常な位置）にあるときに、第２突出部３４を透過して第２突出表面３６に現れる半導体チップ２０の外形に沿って、アライメントマーク３８が位置する。具体的には、Ｌマーク４０は長方形の全ての角の外側に位置している。
【００２６】
本実施形態によれば、半導体チップ２０の上面の外形とアライメントマーク３８とを合わせて、第１液晶パネル１０及び第２液晶パネル２６の位置合わせを行う。詳しくは、半導体チップ２０の上面の外形が描く長方形の長手方向に対称に位置する一対のＬマーク４０の中央に半導体チップ２０の上面を配置することで、長方形の長手方向に、第１液晶パネル１０及び第２液晶パネル２６の位置合わせを行うことができる。また、長方形の短手方向に対称に位置する一対のＬマーク４０の中央に半導体チップ２０の上面を配置することで、短手方向に、第１液晶パネル１０及び第２液晶パネル２６の位置合わせを行うことができる。さらに、長方形の対角線の方向に対称に位置する一対のＬマーク４０に対向するように半導体チップ２０の上面の対角を配置することで、長方形の中心周りの回転方向のズレを修正でき、第１液晶パネル１０及び第２液晶パネル２６の位置合わせを行うことができる。
【００２７】
図２に示すように、半導体チップ２０の上面は、第１突出表面１８よりも高い位置にあるので、アライメントマーク３８が設けられている第２突出表面３６に近い。また、半導体チップ２０の上面を位置合わせに使用しており、その周囲のシリコーン樹脂などの樹脂２２を透過させて歪んだ像は使用しない。したがって、カメラ４６等のデバイスの焦点を合わせ易いので、重ねられる第１液晶パネル１０及び第２液晶パネル２６の位置合わせを容易に行うことができる。
【００２８】
図３は、実施形態の変形例１に係る液晶表示装置を示す平面図である。この例では、一対のＬマーク１４０が長方形の対角それぞれの外側に位置している。また、アライメントマーク１３８は、長方形の長辺に対応する直線マーク１４６を含む。これによれば、半導体チップ２０の上面の外形が描く長方形の短手方向に対称に位置する一対の直線マーク１４６の中央に半導体チップ２０の上面を配置することで、短手方向に、第１液晶パネル１０及び第２液晶パネル２６の位置合わせを行うことができる。また、長方形の対角線の方向に対称に位置する一対のＬマーク１４０に対向するように半導体チップ２０の上面の対角を配置することで、回転方向のズレを修正でき、第１液晶パネル１０及び第２液晶パネル２６の位置合わせを行うことができる。さらに、一対のＬマーク１４０は、長方形の中心周りに回転対称の位置にあるため、長方形の長手方向に、一対のＬマーク１４０の中央に半導体チップ２０の上面を配置することで、長手方向の位置合わせを行うことができる。
【００２９】
図４は、実施形態の変形例２に係る液晶表示装置を示す平面図である。この例では、第１液晶パネル１０及び第２液晶パネル２６が予め決められた相対的位置にあるときに、第２突出部３４を透過して第２突出表面３６に現れる半導体チップ２０の角部と重なるように第２フレキシブル配線基板２４２が配置されている。また、第２フレキシブル配線基板２４２との重複から外れた半導体チップ２０の部位の外側にアライメントマーク２３８が位置する。この例では、図３に示す変形例１と比べて、半導体チップ２０の上面が描く長方形の一方の長辺側にのみ直線マーク２４６が配置されている。一対のＬマーク２４０は、長方形の中心周りに回転対称の位置にあるため、長方形の短手方向に、一対のＬマーク２４０の中央に半導体チップ２０の上面を配置することで、短手方向の位置合わせを行うことができる。直線マーク２４６は、一方のＬマーク２４０のＬ字の一端から、長手方向の延長線上にあり、Ｌマーク２４０を使用した位置合わせで補助的に使用される。
【００３０】
図５は、実施形態の変形例３に係る液晶表示装置を示す平面図である。この例では、第１液晶パネル１０及び第２液晶パネル２６が予め決められた相対的位置にあるときに、第２突出部３４を透過して第２突出表面３６に現れる半導体チップ２０の角部を避けた部位（例えば長方形の一方の長辺側の端部）と重なるように第２フレキシブル配線基板３４２が配置されている。その他の構造は、図４に示す変形例２で説明した内容が該当する。
【００３１】
本発明は、上述した実施形態に限定されるものではなく種々の変形が可能である。例えば、実施形態で説明した構成は、実質的に同一の構成、同一の作用効果を奏する構成又は同一の目的を達成することができる構成で置き換えることができる。
【符号の説明】
【００３２】
１０  第１液晶パネル、１２  第１上基板、１４  第１下基板、１６  第１突出部、１８  第１突出表面、２０  半導体チップ、２２  樹脂、２４  第１フレキシブル配線基板、２６  第２液晶パネル、２８  第２上基板、３０  第２下基板、３２  偏光板、３４  第２突出部、３６  第２突出表面、３８  アライメントマーク、４０  Ｌマーク、４２  第２フレキシブル配線基板、４４  接着層、４６  カメラ、１３８  アライメントマーク、１４０  Ｌマーク、１４６  直線マーク、２３８  アライメントマーク、２４０  Ｌマーク、２４２  第２フレキシブル配線基板、２４６  直線マーク、３４２  第２フレキシブル配線基板。
【図１】
2013088481.tif 000003
【図２】
2013088481.tif 000004
【図３】
2013088481.tif 000005
【図４】
2013088481.tif 000006
【図５】
2013088481.tif 000007